(57)【要約】【課題】第一の筐体と第二の筐体のいずれを下向きにして机の上等に置いたとしても、一個の発光素子を使用するだけで、着信を確実に認識し得、コストアップ並びに消費電力の増加を最小限に抑えることができ、且つフレキシブルプリントケーブルに多大な負荷を掛けることも防止し得る携帯端末機器を提供する。【解決手段】第一の筐体としての上部筐体２ａ内部に設けられ且つ着信時に光を発する発光素子６と、該発光素子６から発せられる光が入射され且つ該入射された光を上部筐体２ａの背面側並びに前面側へ出射させるよう上部筐体２ａ内部に設けられた上部インジケータ７と、上部筐体２ａと下部筐体２ｂを閉じた状態で前記上部インジケータ７から上部筐体２ａの前面側へ出射される光が入射され且つ該入射された光を下部筐体２ｂの背面側へ出射させるよう下部筐体２ｂ内部に設けられた下部インジケータ８とを備える。【選択図】図１
2005079764.tif 000002
【特許請求の範囲】
【請求項１】
第一の筐体と第二の筐体とを開閉可能となるよう互いに回動自在に連結してなる携帯端末機器において、
第一の筐体内部に設けられた発光素子と、
該発光素子から発せられる光が入射され且つ該入射された光を第一の筐体の背面側並びに前面側へ出射させるよう第一の筐体に設けられた第一の導光体と、
第一の筐体と第二の筐体を閉じた状態で前記第一の導光体から第一の筐体の前面側へ出射される光が入射され且つ該入射された光を第二の筐体の背面側へ出射させるよう第二の筐体に設けられた第二の導光体と
を備えたことを特徴とする携帯端末機器。
【発明の詳細な説明】
【技術分野】
【０００１】
本発明は、携帯端末機器に関するものである。
【背景技術】
【０００２】
近年、携帯電話、ＰＨＳ（簡易型携帯電話）等の小型の携帯端末機器が急速に普及してきているが、特に、デザイン面での美しさとコンパクト性を兼ね備えた折畳式の携帯端末機器への人気が高まっている。
【０００３】
図２は従来の折畳式の携帯端末機器の一例を表わすものであって、１は携帯端末機器、２は携帯端末機器１の筐体であり、折畳式の携帯端末機器１は、筐体２を第一の筐体としての上部筐体２ａと第二の筐体としての下部筐体２ｂとに分割し、それらをヒンジ部３を介して開閉可能となるよう互いに回動自在に連結してなる構成を有している。
【０００４】
前記上部筐体２ａには、液晶ディスプレイ（ＬＣＤ：Ｌｉｑｕｉｄ  Ｃｒｙｓｔａｌ  Ｄｉｓｐｌａｙ）等の表示器４が設けられる一方、前記下部筐体２ｂには、多数のキー５が配置され且つバッテリー（図示せず）が内蔵されている。
【０００５】
前述の如き折畳式の携帯端末機器１においては、着信があったことを認識するために、通常、着信時に発光する発光ダイオード（ＬＥＤ：Ｌｉｇｈｔ  Ｅｍｉｔｔｉｎｇ  Ｄｉｏｄｅ）等の発光素子からの光を外部へ導くための導光体としてのインジケータが設けられるが、従来の場合、前記インジケータは、上部筐体２ａと下部筐体２ｂを閉じた状態（待ち受け状態）でも認識しやすいように、上部筐体２ａの上端部に配設されるか、或いは、上部筐体２ａの背面側に配設されることが多い。
【０００６】
尚、図２に示されるような折畳式の携帯端末機器を示すものとしては、例えば、特許文献１がある。
【特許文献１】特開２００２−３５４０９６号公報
【発明の開示】
【発明が解決しようとする課題】
【０００７】
しかしながら、前述の如く、インジケータを上部筐体２ａの上端部或いは背面側に配設するのでは、上部筐体２ａの背面側を下向きにして机の上等に置いた場合、インジケータが見えにくくなり、着信を認識できなくなる可能性があった。
【０００８】
この対策として、例えば、下部筐体２ｂの背面側（バッテリーが設けられる面側）にも発光素子を設けてインジケータを配設すれば、着信を確実に認識できるが、このようにした場合、発光素子を二個使用することになり、コストアップ並びに消費電力の増加が避けられず、不利になるという欠点を有していた。
【０００９】
又、携帯端末機器１の上部筐体２ａと下部筐体２ｂとをつなぐヒンジ部３の中央部にインジケータを設ければ、発光素子は一個のままで、上部筐体２ａ側からも下部筐体２ｂ側からも着信を認識可能となるが、このようにした場合、小型・軽量化を目指す携帯端末機器１の構造としては、ヒンジ部３の内部に上部筐体２ａ側と下部筐体２ｂ側とを接続するように配設されるフレキシブルプリントケーブル（ＦＰＣ：Ｆｌｅｘｉｂｌｅ  Ｐｒｉｎｔ  Ｃａｂｌｅ）（図示せず）を通すためのスペースが狭くなり、筐体２の開閉の度毎にフレキシブルプリントケーブルに多大な負荷が掛かってしまい、強度低下が引き起こされ、断線してしまう虞があった。
【００１０】
本発明は、斯かる実情に鑑み、第一の筐体と第二の筐体のいずれを下向きにして机の上等に置いたとしても、一個の発光素子を使用するだけで、着信を確実に認識し得、コストアップ並びに消費電力の増加を最小限に抑えることができ、且つフレキシブルプリントケーブルに多大な負荷を掛けることも防止し得る携帯端末機器を提供しようとするものである。
【課題を解決するための手段】
【００１１】
本発明は、第一の筐体と第二の筐体とを開閉可能となるよう互いに回動自在に連結してなる携帯端末機器において、
第一の筐体内部に設けられた発光素子と、
該発光素子から発せられる光が入射され且つ該入射された光を第一の筐体の背面側並びに前面側へ出射させるよう第一の筐体に設けられた第一の導光体と、
第一の筐体と第二の筐体を閉じた状態で前記第一の導光体から第一の筐体の前面側へ出射される光が入射され且つ該入射された光を第二の筐体の背面側へ出射させるよう第二の筐体に設けられた第二の導光体と
を備えたことを特徴とする携帯端末機器にかかるものである。
【００１２】
上記手段によれば、以下のような作用が得られる。
【００１３】
第一の筐体と第二の筐体を閉じた状態での着信時には、第一の筐体内部に設けられた発光素子から光が発せられ、該発光素子から発せられる光は、第一の導光体に入射されて第一の筐体の背面側へ出射されると共に、第一の筐体の前面側に出射され、該第一の筐体の前面側へ出射される光は、第二の導光体に入射されて第二の筐体の背面側へ出射される。
【００１４】
このため、仮に、第一の筐体の背面側を下向きにして机の上等に置いたことによって、第一の導光体から第一の筐体の背面側へ出射される光が見えにくくなったとしても、第二の導光体から第二の筐体の背面側へ出射される光は良く見えることとなり、着信を確実に認識することが可能となる。
【００１５】
この場合、第二の筐体の背面側に発光素子を設ける必要はなく、発光素子は一個で済むため、コストアップ並びに消費電力の増加が避けられ、有利となる。
【００１６】
又、携帯端末機器の第一の筐体と第二の筐体とをつなぐヒンジ部の中央部に導光体を設けるのとは異なり、ヒンジ部の内部に第一の筐体側と第二の筐体側とを接続するように配設されるフレキシブルプリントケーブルを通すためのスペースが狭くならず、筐体の開閉の度毎にフレキシブルプリントケーブルに多大な負荷が掛かることはなく、強度低下が引き起こされて断線してしまう心配もない。
【発明の効果】
【００１７】
本発明の携帯端末機器によれば、第一の筐体と第二の筐体のいずれを下向きにして机の上等に置いたとしても、一個の発光素子を使用するだけで、着信を確実に認識し得、コストアップ並びに消費電力の増加を最小限に抑えることができ、且つフレキシブルプリントケーブルに多大な負荷を掛けることも防止し得るという優れた効果を奏し得る。
【発明を実施するための最良の形態】
【００１８】
以下、本発明の実施の形態を添付図面を参照して説明する。
【００１９】
図１は本発明を実施する形態の一例であって、図中、図２と同一の符号を付した部分は同一物を表わしており、基本的な構成は図２に示す従来のものと同様であるが、本図示例の特徴とするところは、図１に示す如く、
第一の筐体としての上部筐体２ａ内部に設けられ且つ着信時に光を発する発光ダイオード等の発光素子６と、
該発光素子６から発せられる光が入射され且つ該入射された光を上部筐体２ａの背面側並びに前面側へ出射させるよう上部筐体２ａ内部に設けられたビームスプリッタを構成する第一の導光体としての上部インジケータ７と、
上部筐体２ａと下部筐体２ｂを閉じた状態で前記上部インジケータ７から上部筐体２ａの前面側へ出射される光が入射され且つ該入射された光を下部筐体２ｂの背面側へ出射させるよう下部筐体２ｂ内部に設けられた第二の導光体としての下部インジケータ８と
を備えた点にある。
【００２０】
本図示例の場合、前記上部インジケータ７は、発光素子６から発せられる光が入射されて該光を上部筐体２ａの前面側へ出射させる上部前面側インジケータ７ａと、発光素子６から発せられる光が前記上部前面側インジケータ７ａを介して入射されて該光を上部筐体２ａの背面側へ出射させる上部背面側インジケータ７ｂとを備えてなる構成を有しているが、発光素子６から発せられる光を上部筐体２ａの前面側と背面側へ出射させることのできるものであれば、一つのインジケータとしても良い。
【００２１】
尚、図１中、９は下部筐体２ｂの内部に設けられたキー基板、１０は下部筐体２ｂの内部に設けられたバッテリーである。
【００２２】
次に、上記図示例の作用を説明する。
【００２３】
第一の筐体としての上部筐体２ａと第二の筐体としての下部筐体２ｂを閉じた状態での着信時には、上部筐体２ａ内部に設けられた発光素子６から光が発せられ、該発光素子６から発せられる光は、上部インジケータ７の上部前面側インジケータ７ａに入射され上部背面側インジケータ７ｂを介して上部筐体２ａの背面側へ出射されると共に、前記上部前面側インジケータ７ａから上部筐体２ａの前面側に出射され、該上部筐体２ａの前面側へ出射される光は、下部インジケータ８に入射されて下部筐体２ｂの背面側へ出射される。
【００２４】
このため、仮に、上部筐体２ａの背面側を下向きにして机の上等に置いたことによって、上部インジケータ７の上部背面側インジケータ７ｂから上部筐体２ａの背面側へ出射される光が見えにくくなったとしても、下部インジケータ８から下部筐体２ｂの背面側へ出射される光は良く見えることとなり、着信を確実に認識することが可能となる。
【００２５】
この場合、第二の筐体としての下部筐体２ｂの背面側（バッテリー１０が設けられる面側）に発光素子を設ける必要はなく、発光素子６は一個で済むため、コストアップ並びに消費電力の増加が避けられ、有利となる。
【００２６】
又、携帯端末機器１の第一の筐体としての上部筐体２ａと第二の筐体としての下部筐体２ｂとをつなぐヒンジ部３（図２参照）の中央部に導光体としてのインジケータを設けるのとは異なり、ヒンジ部３の内部に上部筐体２ａ側と下部筐体２ｂ側とを接続するように配設されるフレキシブルプリントケーブル（図示せず）を通すためのスペースが狭くならず、筐体２の開閉の度毎にフレキシブルプリントケーブルに多大な負荷が掛かることはなく、強度低下が引き起こされて断線してしまう心配もない。
【００２７】
こうして、第一の筐体としての上部筐体２ａと第二の筐体としての下部筐体２ｂのいずれを下向きにして机の上等に置いたとしても、一個の発光素子６を使用するだけで、着信を確実に認識し得、コストアップ並びに消費電力の増加を最小限に抑えることができ、且つフレキシブルプリントケーブルに多大な負荷を掛けることも防止し得る。
【００２８】
尚、本発明の携帯端末機器は、上述の図示例にのみ限定されるものではなく、本発明の要旨を逸脱しない範囲内において種々変更を加え得ることは勿論である。
【図面の簡単な説明】
【００２９】
【図１】本発明を実施する形態の一例の側断面図である。
【図２】従来の折畳式の携帯端末機器の一例を表わす斜視図である。
【符号の説明】
【００３０】
１    携帯端末機器
２    筐体
２ａ  上部筐体（第一の筐体）
２ｂ  下部筐体（第二の筐体）
６    発光素子
７    上部インジケータ（第一の導光体）
７ａ  上部前面側インジケータ
７ｂ  上部背面側インジケータ
８    下部インジケータ（第二の導光体）
【図１】
2005079764.tif 000003
【図２】
2005079764.tif 000004